(57)【特許請求の範囲】
【請求項１】
メモリーと、
プロセッサーと、を備える情報処理装置であって、
前記プロセッサーが、
操作ボタンを含む第１の操作ウィンドウに対応する第２の操作ウィンドウを操作表示部に表示させる場合に、前記第２の操作ウィンドウを表示させるための前記操作表示部における表示領域のサイズに応じて、
前記第１の操作ウィンドウに含まれる前記操作ボタンのうちの所定の操作ボタンについての形状の種類が変更された操作ウィンドウを、前記第２の操作ウィンドウとして生成するか、
前記第１の操作ウィンドウに含まれる前記操作ボタンのうちの所定の操作ボタンについて、形状の種類が変更されていない操作ウィンドウを、前記第２の操作ウィンドウとして生成するか、
を切り替え、
前記所定の操作ボタンとは、長辺の値を短辺の値で割った値が所定以上となる、細長い形状のボタンであり、隣接する操作ボタンと隙間を介して配置され、
前記細長い形状のボタンについての形状の種類が変更された前記第２の操作ウィンドウにおいて、前記細長い形状のボタンは、当該細長い形状のボタンの長辺の一部が前記隙間に拡張された形状となるように、形状の種類が変更されることを特徴とする情報処理装置。
【請求項２】
前記プロセッサーは、
前記第１の操作ウィンドウのサイズと、前記第２の操作ウィンドウを表示させるための前記操作表示部における前記表示領域のサイズとに基づいて、
前記所定の操作ボタンについての形状の種類が変更された操作ウィンドウを前記第２の操作ウィンドウとして生成するか、前記所定の操作ボタンについての形状の種類が変更されていない操作ウィンドウを前記第２の操作ウィンドウとして生成するか、を切り替えることを特徴とする請求項１に記載の情報処理装置。
【請求項３】
前記所定の操作ボタンについての形状の種類が変更された前記第２の操作ウィンドウにおいて、前記所定の操作ボタンは、前記拡張された形状の部分が、前記所定の操作ボタンに隣接する他の操作ボタンと重ならないように、形状の種類が変更されることを特徴とする請求項１または２に記載の情報処理装置。
【請求項４】
前記プロセッサーは、
前記第２の操作ウィンドウに含まれる第１の操作ボタンがユーザーにより押下されたとき、押下されている前記第１の操作ボタンの表示形態を変更した操作ウィンドウを生成することを特徴とする請求項１〜３のいずれか一項に記載の情報処理装置。
【請求項５】
前記第１の操作ボタンが押下された状態から、前記第２の操作ウィンドウのいずれかの位置が押下され続ける状態を経て、前記第１の操作ボタン以外の第２の操作ボタンが押下された状態に変化したとき、押下されている前記第２の操作ボタンの表示形態を変更した操作ウィンドウを生成することを特徴とする請求項４に記載の情報処理装置。
【請求項６】
前記操作表示部を更に備え、
前記プロセッサーは、
自機に備えられた前記操作表示部における表示領域のサイズに応じて、
前記第１の操作ウィンドウに含まれる前記操作ボタンのうちの所定の操作ボタンについての形状の種類が変更された操作ウィンドウを、前記第２の操作ウィンドウとして生成するか、
前記第１の操作ウィンドウに含まれる前記操作ボタンのうちの所定の操作ボタンについて、形状の種類が変更されていない操作ウィンドウを、前記第２の操作ウィンドウとして生成するか、
を切り替えることを特徴とする請求項１〜５のいずれか一項に記載の情報処理装置。
【請求項７】
前記情報処理装置は、前記操作表示部を備える他の装置と通信可能であり、
前記プロセッサーは、
前記他の装置が備える前記操作表示部における表示領域のサイズに応じて、
前記第１の操作ウィンドウに含まれる前記操作ボタンのうちの所定の操作ボタンについての形状の種類が変更された操作ウィンドウを、前記第２の操作ウィンドウとして生成するか、
前記第１の操作ウィンドウに含まれる前記操作ボタンのうちの所定の操作ボタンについて、形状の種類が変更されていない操作ウィンドウを、前記第２の操作ウィンドウとして生成するか、
を切り替えることを特徴とする請求項１〜５のいずれか一項に記載の情報処理装置。
【請求項８】
請求項１〜７のいずれか一項に記載の情報処理装置と、画像形成部とを備えることを特徴とする画像形成装置。
【請求項９】
メモリーと、プロセッサーとを備える情報処理装置で実行される操作ウィンドウ生成プログラムであって、
操作ボタンを含む第１の操作ウィンドウに対応する第２の操作ウィンドウを操作表示部に表示させる場合に、
前記プロセッサーに、
前記第２の操作ウィンドウを表示させるための前記操作表示部における表示領域のサイズに応じて、
前記第１の操作ウィンドウに含まれる前記操作ボタンのうちの所定の操作ボタンについての形状の種類が変更された操作ウィンドウを、前記第２の操作ウィンドウとして生成するか、
前記第１の操作ウィンドウに含まれる前記操作ボタンのうちの所定の操作ボタンについて、形状の種類が変更されていない操作ウィンドウを、前記第２の操作ウィンドウとして生成するか、
を切り替えさせ、
前記所定の操作ボタンとは、長辺の値を短辺の値で割った値が所定以上となる、細長い形状のボタンであり、隣接する操作ボタンと隙間を介して配置され、
前記細長い形状のボタンについての形状の種類が変更された前記第２の操作ウィンドウにおいて、前記細長い形状のボタンは、当該細長い形状のボタンの長辺の一部が前記隙間に拡張された形状となるように、形状の種類が変更されることを特徴とする操作ウィンドウ生成プログラム。
【請求項１０】
情報処理装置における操作ウィンドウ生成方法であって、
操作ボタンを含む第１の操作ウィンドウに対応する第２の操作ウィンドウを操作表示部に表示させる場合に、前記第２の操作ウィンドウを表示させるための前記操作表示部における表示領域のサイズに応じて、
前記第１の操作ウィンドウに含まれる前記操作ボタンのうちの所定の操作ボタンについての形状の種類が変更された操作ウィンドウを、前記第２の操作ウィンドウとして生成するか、
前記第１の操作ウィンドウに含まれる前記操作ボタンのうちの所定の操作ボタンについて、形状の種類が変更されていない操作ウィンドウを、前記第２の操作ウィンドウとして生成するか、
を切り替え、
前記所定の操作ボタンとは、長辺の値を短辺の値で割った値が所定以上となる、細長い形状のボタンであり、隣接する操作ボタンと隙間を介して配置され、
前記細長い形状のボタンについての形状の種類が変更された前記第２の操作ウィンドウにおいて、前記細長い形状のボタンは、当該細長い形状のボタンの長辺の一部が前記隙間に拡張された形状となるように、形状の種類が変更されることを特徴とする操作ウィンドウ生成方法。
【発明の詳細な説明】
【技術分野】
【０００１】
本発明は、情報処理装置、画像形成装置、操作ウィンドウ生成プログラム、操作ウィンドウ生成方法に関する。
【背景技術】
【０００２】
近年、タブレットやスマートフォン等の携帯端末の軽量化、小型化が進み、携帯端末は多くのユーザーに使用されている。
しかしながら、携帯端末の軽量化、小型化が進むと、携帯端末の操作表示部において画像を表示可能な領域（表示領域）も小型化するため、以下の様な問題が起こりえた。
例えば、小型化された携帯端末で、小型化される以前の携帯端末で使用されていたデータベースやアプリケーションが使用されるとき、小型化された操作表示部の表示領域に合わせて、操作表示部に表示される画像や操作ボタンが、小型化される以前の操作表示部に表示された画像や操作ボタンに比べて、縮小されて表示される。操作表示部に表示される操作ボタンが縮小されて表示されると、ユーザーの操作ボタンの押し間違えを発生させたり、操作ボタンがユーザーにとって押下のしづらい状況になってしまったりすることがあった。
【０００３】
このような課題に対し、特許文献１は、文字の入力操作を受け付けるための複数の入力キーおよび入力された文字の削除操作を受け付けるための削除キーを含むキーボード画面を表示する操作表示部と、前記キーボード画面を表示するためのキーボード画面情報を記憶する記憶部と、前記キーボード画面情報を読み出して前記キーボード画面を前記操作表示部に表示させるとともに、前記複数の入力キーのそれぞれの表示サイズを制御する制御部と、を備え、前記制御部は、誤文字の削除操作および前記誤文字の従前の入力位置への修正文字の挿入操作を前記キーボード画面が受け付けた場合に、前記誤文字の入力キーおよび前記修正文字の入力キーが互いに隣接しているか否かを判断し、前記誤文字の入力キーおよび前記修正文字の入力キーが互いに隣接していると判断すれば、前記誤文字の入力キーの表示サイズを縮小するとともに、前記修正文字の入力キーの表示サイズを拡大することを特徴とする文字入力装置が開示されている。
【先行技術文献】
【特許文献】
【０００４】
【特許文献１】特開２０１３−０２５７４３号公報
【発明の概要】
【発明が解決しようとする課題】
【０００５】
しかしながら、特許文献１には以下に示す様な問題があった。
特許文献１の文字入力装置は、誤文字の入力、削除操作、修正文字の入力等の所定の操作をユーザーから受け付けたことにより、ユーザーにとって押下しやすい入力キー（操作ボタン）を表示するので、誤文字の入力、削除操作、修正文字の入力を受け付ける前から、ユーザーにとって押下しやすい操作ボタンを表示できていなかった。
また、複数の操作ボタンを表示できるキーボード画面の大きさは決まっているので、ある操作ボタンの表示サイズ（領域）が拡大されると、拡大されたある操作ボタンに隣接する他の操作ボタンの領域は、本来表示されるべきであった領域よりも縮小される。上記の様に縮小されて表示された操作ボタンの領域は、他に隣接する操作ボタンの領域に比べて小さいので、ユーザーは、押下する操作ボタンを定めにくく、縮小された操作ボタンを正確に押下することは困難であった。つまり、ある操作ボタンの領域が、ある操作ボタンに
隣接する他の操作ボタンの領域に影響を与えてしまい、その結果、ユーザーが正確に押下することが困難である操作ボタンを表示させてしまった。
また、上記のような問題は、軽量化、小型化された携帯端末に限らず、例えば、操作表示部の大きさが異なる複数の情報処理装置（例えば、ＭＦＰ（Ｍｕｌｔｉ  Ｆｕｎｃｔｉｏｎａｌ  Ｐｅｒｉｐｈｅｒａｌ））が同じＦＷ（ＦｉｒｍＷａｒｅ）で動作するとき、操作表示部の表示領域の大きさが他の情報処理装置より小さい操作表示部の表示領域を備える情報処理装置の操作表示部の表示領域に、他の情報処理装置の操作表示部に表示される操作ボタンや画像を含む操作ウィンドウを表示させる形態でも同様の問題であった。
【０００６】
本発明は、上記問題を鑑みてなされたものであって、操作ボタンが縮小されて表示されることによるユーザーの操作ボタンの押し間違えの発生や、操作ボタンがユーザーにとって押下のしづらい状況になってしまうことを抑制し、ユーザーからの所定の操作を受け付けることなく、ユーザーにとって押下しやすい操作ボタンを表示し、さらに、表示された操作ボタンの領域（形状）による他の操作ボタンの形状に対する影響を少なくすることができる情報処理装置、画像形成装置、操作ウィンドウ生成プログラム、操作ウィンドウ生成方法の提供を目的とする。
【課題を解決するための手段】
【０００７】
（１）メモリーと、プロセッサーと、を備える情報処理装置であって、前記プロセッサーが、操作ボタンを含む第１の操作ウィンドウに対応する第２の操作ウィンドウを操作表示部に表示させる場合に、前記第２の操作ウィンドウを表示させるための前記操作表示部における表示領域のサイズに応じて、前記第１の操作ウィンドウに含まれる前記操作ボタンのうちの所定の操作ボタンについての形状の種類が変更された操作ウィンドウを、前記第２の操作ウィンドウとして生成するか、前記第１の操作ウィンドウに含まれる前記操作ボタンのうちの所定の操作ボタンについて、形状の種類が変更されていない操作ウィンドウを、前記第２の操作ウィンドウとして生成するか、を切り替え、前記所定の操作ボタンとは、長辺の値を短辺の値で割った値が所定以上となる、細長い形状のボタンであり、隣接する操作ボタンと隙間を介して配置され、前記細長い形状のボタンについての形状の種類が変更された前記第２の操作ウィンドウにおいて、前記細長い形状のボタンは、当該細長い形状のボタンの長辺の一部が前記隙間に拡張された形状となるように、形状の種類が変更されることを特徴とする情報処理装置。
【０００８】
（２）プロセッサーは、第１の操作ウィンドウのサイズと、第２の操作ウィンドウを表示させるための操作表示部における表示領域のサイズとに基づいて、所定の操作ボタンについての形状の種類が変更された操作ウィンドウを第２のウィンドウとして生成するか、所定の操作ボタンについての形状の種類が変更されていない操作ウィンドウを第２のウィンドウとして生成するか、を切り替えることを特徴とする上記１に記載の情報処理装置。
【００１０】
（３）前記所定の操作ボタンについての形状の種類が変更された前記第２の操作ウィンドウにおいて、前記所定の操作ボタンは、前記拡張された形状の部分が、前記所定の操作ボタンに隣接する他の操作ボタンと重ならないように、形状の種類が変更されることを特徴とする上記１または２に記載の情報処理装置。
【００１２】
（４）プロセッサーは、第２の操作ウィンドウに含まれる第１の操作ボタンがユーザーにより押下されたとき、押下されている第１の操作ボタンの表示形態を変更した操作ウィンドウを生成することを特徴とする上記１〜３のいずれか一つに記載の情報処理装置。
【００１３】
（５）第１の操作ボタンが押下された状態から、第２の操作ウィンドウのいずれかの位置が押下され続ける状態を経て、第１の操作ボタン以外の第２の操作ボタンが押下された状態に変化したとき、押下されている第２の操作ボタンの表示形態を変更した操作ウィンドウを生成することを特徴とする上記４に記載の情報処理装置。
【００１４】
（６）操作表示部を更に備え、プロセッサーは、自機に備えられた操作表示部における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するか、を切り替えることを特徴とする上記１〜５のいずれか一つに記載の情報処理装置。
【００１５】
（７）情報処理装置は、操作表示部を備える他の装置と通信可能であり、プロセッサーは、他の装置が備える操作表示部における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するか、を切り替えることを特徴とする上記１〜５のいずれか一つに記載の情報処理装置。
【００１６】
（８）上記１〜７のいずれか一つに記載の情報処理装置と、画像形成部とを備えることを特徴とする画像形成装置。
【００１７】
（９）メモリーと、プロセッサーとを備える情報処理装置で実行される操作ウィンドウ生成プログラムであって、操作ボタンを含む第１の操作ウィンドウに対応する第２の操作ウィンドウを操作表示部に表示させる場合に、プロセッサーに、第２の操作ウィンドウを表示させるための操作表示部における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するか、を切り替えさせ、前記所定の操作ボタンとは、長辺の値を短辺の値で割った値が所定以上となる、細長い形状のボタンであり、隣接する操作ボタンと隙間を介して配置され、前記細長い形状のボタンについての形状の種類が変更された前記第２の操作ウィンドウにおいて、前記細長い形状のボタンは、当該細長い形状のボタンの長辺の一部が前記隙間に拡張された形状となるように、形状の種類が変更されることを特徴とする操作ウィンドウ生成プログラム。
【００１８】
（１０）情報処理装置における操作ウィンドウ生成方法であって、操作ボタンを含む第１の操作ウィンドウに対応する第２の操作ウィンドウを操作表示部に表示させる場合に、第２の操作ウィンドウを表示させるための操作表示部における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するか、を切り替え、前記所定の操作ボタンとは、長辺の値を短辺の値で割った値が所定以上となる、細長い形状のボタンであり、隣接する操作ボタンと隙間を介して配置され、前記細長い形状のボタンについての形状の種類が変更された前記第２の操作ウィンドウにおいて、前記細長い形状のボタンは、当該細長い形状のボタンの長辺の一部が前記隙間に拡張された形状となるように、形状の種類が変更されることを特徴とする操作ウィンドウ生成方法。
【発明の効果】
【００１９】
本発明に係る情報処理装置、画像形成装置、操作ウィンドウ生成プログラム、操作ウィンドウ生成方法は、操作ボタンを含む第１の操作ウィンドウに対応する第２の操作ウィンドウを操作表示部に表示させる場合に、第２の操作ウィンドウを表示させるための操作表示部における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するかを切り替えるので、操作ボタンの押し間違いの発生や、操作ボタンがユーザーにとって押下のしづらい状況になってしまうことを抑制し、ユーザーからの所定の操作を受け付けることなく、ユーザーにとって押下しやすい操作ボタンを表示する。さらに、表示された操作ボタンの形状による他の操作ボタンの形状に対する影響を少なくすることができる。
【図面の簡単な説明】
【００２０】
【図１】本発明の実施形態に係る表示システム１のシステム構成図を示す。
【図２】ＭＦＰ３のハードウェア構成図を示す。
【図３】携帯端末２のハードウェア構成図を示す。
【図４】携帯端末２が備える機能の機能ブロック図を示す。
【図５】ＭＦＰ３が備える機能の機能ブロック図を示す。
【図６】（ａ）は、ユーザーからＭＦＰ３のリモート接続の指示を受け付ける画面を示す。（ｂ）は、接続可能なＭＦＰ３の一覧を含む画面を示す。
【図７】（ａ）は第１の操作ウィンドウの一例を示し、（ｂ）は、変倍率が０．８倍であるときの第２の操作ウィンドウを示し、（ｃ）は、変倍率が０．５倍であるときの第２の操作ウィンドウを示す。
【図８】（ａ）は第１の操作ウィンドウに含まれる操作ボタンＫ８１の一例を示し、（ｂ）は（ａ）に示す操作ボタンＫ８１を０．５倍の変倍率で変倍したものを示し、（ｃ）は（ａ）に示す操作ボタンＫ８１を０．５倍の変倍率で変倍した上で形状の種類を楕円形に変更したものを示す。（ｄ）は（ａ）に示す操作ボタンＫ８１を０．５倍の変倍率で変倍した上で形状の種類を長方形に変更したものを示す。（ｅ）は（ａ）に示す操作ボタンＫ８１を０．５倍の変倍率で変倍した上で形状の種類をひし形に変更したものを示す。
【図９】図７（ｃ）における、操作ボタンＫ７３１、Ｋ７３２の拡張部分を含む領域を拡大した図である。
【図１０】第２の操作ウィンドウを表示する機能に関して、携帯端末２が実行する処理を説明するフローチャートである。
【図１１】第２の操作ウィンドウを生成する処理を示すサブルーチンである。
【図１２】第２の操作ウィンドウを表示する機能に関して、ＭＦＰ３が実行する処理を説明するフローチャートである。
【図１３】変形例１における携帯端末２が備える機能の機能ブロック図を示す。
【図１４】変形例１におけるＭＦＰ３が備える機能の機能ブロック図を示す。
【図１５】変形例１における第２の操作ウィンドウを表示する機能に関して、携帯端末２が実行する処理を説明するフローチャートである。
【図１６】変形例１における第２の操作ウィンドウを表示する機能に関して、ＭＦＰ３が実行する処理を説明するフローチャートである。
【図１７】変形例２における携帯端末２が備える機能の機能ブロック図を示す。
【図１８】変形例２におけるＭＦＰ３が備える機能の機能ブロック図を示す。
【図１９】変形例２における第２の操作ウィンドウを表示する機能に関して、携帯端末２が実行する処理を説明するフローチャートである。
【図２０】変形例２における第２の操作ウィンドウを表示する機能に関して、ＭＦＰ３が実行する処理を説明するフローチャートである。
【発明を実施するための形態】
【００２１】
背景技術で説明したように、従来の携帯端末は、操作表示部における表示領域に対応させて操作ウィンドウを表示させた場合、操作ウィンドウに含まれる操作ボタンが、ユーザーにとって押下しづらい状態になってしまうことがあった。
そこで、本発明に係る携帯端末２は、操作表示部２３における表示領域に対応させて操作ウィンドウを表示させるとき、操作ウィンドウに含まれる操作ボタンのうちの所定の操
作ボタンについて、形状の種類を変更させて表示させるものである。
【００２２】
以下に、本発明の実施形態を詳細に説明する。
【００２３】
（実施形態）
本発明の実施形態に係る表示システム１の構成及びその動作について図面を参照して説明する。
【００２４】
図１は、本発明の実施形態に係る表示システム１のシステム構成図を示す。本表示システム１では、ＭＦＰ３（ＭＦＰ：Ｍｕｌｔｉ  Ｆｕｎｃｔｉｏｎ  Ｐｅｒｉｐｈｅｒａｌ）の操作表示部１４に表示される操作ウィンドウを携帯端末２の操作表示部２３に表示させ、携帯端末２の操作表示部２３に表示された操作ウィンドウを介して、後述するジョブ設定や本体設定をユーザーから受け付けることができる。
【００２５】
図１を参照して、表示システム１はＬＡＮ（Ｌｏｃａｌ  Ａｒｅａ  Ｎｅｔｗｏｒｋ）等のネットワーク４を介して、複数のＭＦＰ３（ＭＦＰ３Ａ〜ＭＦＰ３Ｃ）と、情報処理装置としての携帯端末２とが接続されて構成される。図１では、複数のＭＦＰ３同士が有線ＬＡＮで接続され、携帯端末２とＭＦＰ３とが無線ＬＡＮで接続される例を示しているが、全ての装置を無線ＬＡＮで接続するようにしても良い。なお、ネットワーク４はＬＡＮに限らず、ＷＡＮ（Ｗｉｄｅ  Ａｒｅａ  Ｎｅｔｗｏｒｋ）やインターネットでも良い。
【００２６】
ＭＦＰ３は、コピージョブ、プリントジョブ、スキャンジョブ、ファクスジョブ、ボックスジョブを実行可能であり、それらのジョブの実行に関する設定（ジョブ設定）や、ＭＦＰ３本体の設定（本体設定）を受け付けるための操作ウィンドウをＭＦＰ３の操作表示部１４に表示することができる。
また、ＭＦＰ３は、自機の操作表示部１４に表示される操作ウィンドウに関する情報（操作ウィンドウ情報）を、例えば無線ＬＡＮを用いて携帯端末２に送信し、携帯端末２の操作表示部２３に、対応する操作ウィンドウを表示させることもできる。操作ウィンドウ情報の詳細については後述する。
【００２７】
なお、以下の説明において、ＭＦＰ３の操作表示部１４に表示されるウィンドウを第１の操作ウィンドウと呼び、第１の操作ウィンドウを携帯端末２の操作表示部２３における表示領域に対応させて表示される操作ウィンドウを第２の操作ウィンドウと呼ぶことがある。
【００２８】
ジョブ設定とは、ジョブの実行に関する設定のことであり、例えば、用紙サイズの選択、用紙の種類の選択、用紙トレイの選択、印刷の倍率の選択、ファクスの送信先の選択、ボックスに記憶されたデータの選択などである。また、本体設定とは、ＭＦＰ３の装置本体に対する設定のことであり、例えば、用紙トレイに積載する用紙のサイズや用紙種類の設定や、原稿読取部５や画像形成部７についての色調整の設定などである。
【００２９】
プリントジョブは、携帯端末２から送信されるデータをプリントするＰＣプリントや、ＭＦＰ３に接続されるＵＳＢ（Ｕｎｉｖｅｒｓａｌ  Ｓｅｒｉａｌ  Ｂｕｓ）メモリー等の可搬性記憶メディアに記憶された印刷データをプリントするメディアプリントを含む。
【００３０】
スキャンジョブは、スキャンデータを、ＥｍａｉｌやＳＭＢ（Ｓｅｒｖｅｒ  Ｍｅｓｓａｇｅ  Ｂｌｏｃｋ）、ＦＴＰ（Ｆｉｌｅ  Ｔｒａｎｓｆｅｒ  Ｐｒｏｔｏｃｏｌ）等のプロトコルで他の装置に送信するスキャン送信の他に、スキャンデータをＵＳＢメモリー等の可搬性記憶メディアに保存するスキャンｔｏメディア、スキャンデータをボックスに
保存するスキャンｔｏボックスを含む。
【００３１】
ファクスジョブは、ＭＦＰ３が備える原稿読取部５が読み取った読取画像をファクス送信するジョブである。ボックスジョブは、ＭＦＰ３が備えるボックス（フォルダー）に記憶されたデータを用いて実行されるジョブである。具体的には、ボックス（フォルダー）に記憶された印刷データをプリントするボックスプリントや、ボックスに記憶された画像データをＥｍａｉｌやＳＭＢ、ＦＴＰ等のプロトコルで他の装置に送信するボックス送信、ボックスに記憶された画像データをファクス送信するボックスｔｏファクスを含む。
【００３２】
携帯端末２は、例えばタブレット端末のような携帯可能な端末であり、ＭＦＰ３の操作表示部１４に表示される操作ウィンドウを、自機の操作表示部２３における表示領域に対応させて表示することができる。
携帯端末２は、あるＭＦＰ３の操作ウィンドウを表示させるとき、ＭＦＰ３との間で操作ウィンドウを表示させるための接続（リモート接続）を確立する。例えば、携帯端末２は、ネットワーク４上の装置に接続要求を一斉送信し、接続要求に対する返信があったＭＦＰ３の一覧を操作表示部２３に表示させ、ユーザーにより選択されたＭＦＰ３との間でリモート接続を確立する。
携帯端末２は、ＭＦＰ３から操作ウィンドウ情報を取得し、操作表示部２３における表示領域に対応させて操作ウィンドウを表示させるとき、操作ウィンドウに含まれる操作ボタンのうちの所定の操作ボタンについて、形状の種類を変更させて表示させる。
【００３３】
図２は、ＭＦＰ３のハードウェア構成図を示す。ＭＦＰ３は、制御部（プロセッサー）８、記憶部（メモリー）９、データＩＦ（ｉｎｔｅｒｆａｃｅ）部１０、原稿読取部５、画像処理部６、画像形成部７、操作表示部１４を備え、それらがバス１８で接続されている。
【００３４】
制御部８は、主としてＣＰＵ（Ｃｅｎｔｒａｌ  Ｐｒｏｃｅｓｓｉｎｇ  Ｕｎｉｔ）から構成されており、記憶部９に記憶されたプログラムを実行し、データＩＦ部１０、原稿読取部５、画像処理部６、画像形成部７、操作表示部１４を制御することでＭＦＰ３の機能を実現する。
【００３５】
記憶部９は、主としてＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｃ  Ｄｒｉｖｅ）等を備える。記憶部９は、制御部８が実行するプログラムを含むＭＦＰ３の機能を実現するために必要なデータを記憶する。ＭＦＰ３の機能を実現するために必要なデータには、例えば、ジョブ設定や本体設定に関する情報や、第１の操作ウィンドウに関する操作ウィンドウ情報が含まれる。ＨＤＤはボックスとしての機能も実現する。
【００３６】
データＩＦ部１０は、携帯端末２や外部の装置（例えば、ＰＣ（Ｐｅｒｓｏｎａｌ  Ｃｏｍｐｕｔｅｒ））又は記憶メディアとの間でデータの送受信を行うものであり、ＬＡＮＩＦ部１１、記憶メディアＩＦ部１２、ＦＡＸＩＦ部１３を含む。
【００３７】
ＬＡＮＩＦ部１１は、有線又は無線方式のＬＡＮを介して、ＬＡＮに接続された携帯端末２や、サーバー、ＰＣ、携帯端末、他の画像形成装置との間でデータの送受信を行う。記憶メディアＩＦ部１２は、可搬性記憶メディアからデータを取得し、又は可搬性記憶メディアにデータを記憶させる。ＦＡＸＩＦ部１３は、ファクス回線を介してファクスデータの送受信を行う。
【００３８】
原稿読取部５は、自動原稿搬送装置により読取位置に搬送された原稿、又はプラテンガラス上に設置された原稿の画像を光学的に読み取り、読取データを生成し、生成した読取
データを記憶部９に記憶させる。
【００３９】
画像処理部６は、データＩＦ部１０が取得した印刷データに対しラスタライズ処理を行い、ラスターデータを生成する。また、画像処理部６は、ＦＡＸＩＦ部１３が受信したファクスデータに基づいてラスターデータを生成する。以下の説明においては、原稿読取部５が生成した読取データと、印刷データ又はファクスデータに基づいて画像処理部６が生成したラスターデータとを総称して単にラスターデータと呼ぶ。さらに、画像処理部６は、ラスターデータに対し、シャープネス処理、スムージング処理、色変換処理等の画像処理を行う。
【００４０】
画像形成部７は、画像処理部６により画像処理されたラスターデータに基づいて画像形成を行う。画像形成の方式は、例えば電子写真方式を採用することができ、その他にインクジェット方式、熱転写方式なども採用できる。
【００４１】
操作表示部１４は、ディスプレイ１５、タッチパネル１６、ハードキー１７を備える。
【００４２】
ディスプレイ１５は、例えば、液晶ディスプレイ（ＬＣＤ（Ｌｉｑｕｉｄ  Ｃｒｙｓｔａｌ  Ｄｉｓｐｌａｙ））であり、操作ウィンドウを表示することができる。操作ウィンドウは、例えば、ジョブ設定や本体設定を受け付けるウィンドウや、ジョブのステータスを表示するウィンドウを含む。
【００４３】
タッチパネル１６は、液晶ディスプレイ上に設けられ、ペンや指等で押下された座標位置を検知する。
【００４４】
ハードキー１７は、テンキー、スタートキーを含む。テンキーは数字や記号の入力を受け付けるためのキーであり、スタートキーはジョブの実行開始を受け付けるためのキーである。
【００４５】
図３は、携帯端末２のハードウェア構成図を示す。携帯端末２は、制御部１９、記憶部２０、ＬＡＮＩＦ部２１、操作表示部２３を備え、それらがバス２２で接続されている。
【００４６】
制御部１９は、主としてＣＰＵから構成されており、記憶部２０に記憶されたプログラムを実行し、記憶部２０、ＬＡＮＩＦ部２１、操作表示部２３を制御することで携帯端末２の機能を実現する。
【００４７】
記憶部２０は、主としてＲＡＭ、ＲＯＭ、ＨＤＤ等を備える。記憶部２０は、制御部１９が実行するプログラムを含む、携帯端末２の機能を実現するために必要なデータを記憶する。携帯端末２の機能を実現するために必要なデータには、操作ウィンドウの表示領域に関する情報等が含まれる。
【００４８】
ＬＡＮＩＦ部２１は、ＬＡＮ等のネットワーク４を介して、ＭＦＰ３との間で情報の送受信を行う。具体的には、ＬＡＮＩＦ部２１は、ＭＦＰ３から操作ウィンドウ情報を取得（受信）し、自機の操作表示部２３で受け付けた操作に関する情報（操作情報）をＭＦＰ３に送信する。
【００４９】
操作表示部２３は、ディスプレイ２４、タッチパネル２５を備える。
【００５０】
ディスプレイ２４は、例えば、液晶ディスプレイ（ＬＣＤ（Ｌｉｑｕｉｄ  Ｃｒｙｓｔａｌ  Ｄｉｓｐｌａｙ））であり、操作ウィンドウを表示することができる。操作ウィンドウは、例えば、ジョブ設定や本体設定を受け付けるウィンドウや、ジョブのステータス
を表示するウィンドウを含む。
【００５１】
タッチパネル２５は、液晶ディスプレイ上に設けられ、ペンや指等で押下された座標位置を検知する。
【００５２】
図４は、携帯端末２が備える機能の機能ブロック図を示す。携帯端末２は、制御部１９（プロセッサー）が記憶部２０（メモリー）に記憶されたプログラムを実行することで、図３のハードウェアブロック図に示す各構成を制御することにより、図４に示す機能を実現する。
【００５３】
リモート接続部２６は、表示システム１に含まれる複数のＭＦＰ３のうちの一のＭＦＰ３との間でリモート接続を確立する。
リモート接続部２６は、ネットワーク４上の装置に接続要求を一斉送信し、接続要求に対する返信があったＭＦＰ３を接続可能なＭＦＰ３として特定する。
リモート接続部２６は、例えば、図６（ａ）に示す画面を操作表示部２３に表示し、ユーザーからＭＦＰ３のリモート接続の指示を受け付ける。図６（ａ）に示す画面は、例えば、操作表示部２３が表示する所定のキー（アイコンやボタン）をユーザーが押下したことに応じて、表示される。
リモート接続部２６は、リモート接続に関する接続要求に対しＭＦＰ３から返信があったとき、図６（ｂ）に示す様な、接続可能なＭＦＰ３の一覧を含む画面を操作表示部２３に表示し、リモート接続するＭＦＰ３の選択をユーザーから受け付ける。
リモート接続部２６は、図６（ｂ）に示す画面においてユーザーが、いずれかのＭＦＰ３に対応する「接続」キーを押下しＭＦＰ３を選択すると、選択されたＭＦＰ３と接続を確立する。
【００５４】
図４に戻り、操作ウィンドウ情報取得部２７は、リモート接続を確立したＭＦＰ３から、第１の操作ウィンドウに関する操作ウィンドウ情報を取得（受信）する。第１の操作ウィンドウに関する操作ウィンドウ情報とは、操作表示部２３に表示される第２の操作ウィンドウを生成するための情報であり、例えば、第１の操作ウィンドウのサイズ（水平方向画素数、垂直方向画素数）や、第１の操作ウィンドウに含まれる操作ボタンに関する情報を含む。操作ボタンに関する情報は、操作ボタンの大きさ、操作ウィンドウにおける操作ボタンの位置（座標）、操作ボタンの形状、操作ボタンに対応して表示される文字に関する情報を含む。
【００５５】
ウィンドウ生成部２８は、操作ウィンドウ情報取得部２７が取得した第１の操作ウィンドウに関する操作ウィンドウ情報に基づいて、携帯端末２に表示する第２の操作ウィンドウを生成する。ウィンドウ生成部２８が第２の操作ウィンドウを生成する方法の詳細は後述する。
【００５６】
ウィンドウ表示部２９は、ウィンドウ生成部２８が生成した第２の操作ウィンドウを、操作表示部２３の表示領域に表示する。
【００５７】
操作受付部３０は、第２の操作ウィンドウを介して、ユーザーから、ジョブ設定や本体設定に関する操作を受け付ける。
【００５８】
操作情報送信部３１は、第２の操作ウィンドウを介して受け付けた操作に関する情報を、リモート接続を確立したＭＦＰ３に送信する。
【００５９】
ウィンドウ生成部２８が第２の操作ウィンドウを生成する方法について以下に詳しく説明する。
【００６０】
ウィンドウ生成部２８は、基本的には、第１の操作ウィンドウを、操作表示部２３の表示領域のサイズに合わせて変倍することで第２の操作ウィンドウを生成する。具体的に、ウィンドウ生成部２８は、第１の操作ウィンドウのサイズと、第２の操作ウィンドウを表示させるための表示領域のサイズとに基づいて、第１の操作ウィンドウに対する第２の操作ウィンドウの変倍率を算出する。第１の操作ウィンドウのサイズよりも表示領域のサイズのほうが小さいとき、変倍率は１よりも小さい値となり、第１の操作ウィンドウのサイズよりも表示領域のサイズのほうが大きいとき、変倍率は１よりも大きい値となる。
【００６１】
ウィンドウ生成部２８は、変倍率が所定の倍率以上（例えば、０．８倍以上）のときには、第１の操作ウィンドウを単純に変倍して、第２の操作ウィンドウを生成する。一方、ウィンドウ生成部２８は、変倍率が所定の倍率よりも小さい（例えば、０．８よりも小さい）ときには、第１の操作ウィンドウを変倍するだけでなく、第１の操作ウィンドウに含まれる操作ボタンの形状の種類を変更し、第２の操作ウィンドウを生成する。
【００６２】
図７を参照して、図７（ａ）は第１の操作ウィンドウの一例を示し、図７（ｂ）は、変倍率が０．８倍であるときの第２の操作ウィンドウを示し、図７（ｃ）は、変倍率が０．５倍であるときの第２の操作ウィンドウを示す。ウィンドウ生成部２８は、変倍率が０．８倍であるときは、第１の操作ウィンドウを単純に０．８倍して第２の操作ウィンドウを生成し、変倍率が０．５倍であるときは、第１の操作ウィンドウを０．５倍した上で、操作ボタンの形状の種類を変更し、第２の操作ウィンドウを生成する。図７（ｃ）では、第２の操作ウィンドウに含まれる操作ボタン（Ｋ７３１〜Ｋ７３７）のうちの一部の操作ボタン（Ｋ７３１〜Ｋ７３４）の形状の種類が変更されている。操作ウィンドウに含まれる操作ボタンのうち、いずれの操作ボタンの形状の種類を変更するかについては後述する。
【００６３】
図８を参照して、図８（ａ）は第１の操作ウィンドウに含まれる操作ボタンＫ８１の一例を示し、図８（ｂ）は図８（ａ）に示す操作ボタンＫ８１を０．５倍の変倍率で変倍したものを示し、図８（ｃ）は図８（ａ）に示す操作ボタンＫ８１を０．５倍の変倍率で変倍した上で形状の種類を変更したものを示す。
【００６４】
ウィンドウ生成部２８は、図８（ｃ）に示すように、変更前の操作ボタン、言い換えると単に変倍率で変倍した操作ボタンＫ８２（図８（ｂ））に対し、操作ボタンの一部が外側に拡張された形状となるように、操作ボタンの形状の種類を変更する。図８（ｃ）において、操作ボタンの形状の種類を変更前の操作ボタン（単に変倍率で変倍した操作ボタン）を塗りつぶしで示し、拡張された形状の部分（拡張部分）を斜線で示している。
図８（ｃ）では、拡張部分の形が楕円形の例を示しているが、拡張部分の形状は楕円に限られず、長方形（図８（ｄ））やひし形（図８（ｅ））、台形（不図示）等任意の形状とすることができる。
【００６５】
ここで、ウィンドウ生成部２８は、変倍率が所定の値よりも小さい場合に、常時、第１の操作ウィンドウに含まれる全ての操作ボタンについて形状の種類を変更するのではなく、第１の操作ウィンドウに含まれる操作ボタンのうち、所定の条件を満たす操作ボタンについて形状の種類を変更する。具体的に、ウィンドウ生成部２８は、第１の操作ウィンドウに含まれる操作ボタンのうち、細長い形状のボタンについて形状の種類を変更する。細長い形状とは、操作ボタンの水平方向の長さと垂直方向の長さの短い方を短辺、長い方を長辺としたときに、長辺の値を短辺の値で割った値が所定以上（例えば、５以上）となる形状のことをいう。
【００６６】
図７を参照して、ウィンドウ生成部２８は、第１の操作ウィンドウに含まれる操作ボタン（Ｋ７１１〜Ｋ７１７）のうち、細長い形状の操作ボタンであるＫ７１１〜Ｋ７１４に
対応する、操作ボタンＫ７３１〜Ｋ７３４の形状の種類を変更し、それ以外の操作ボタン（Ｋ７１５〜Ｋ７１７）に対応する操作ボタンＫ７３５〜Ｋ７３７の形状の種類は変更しない。
【００６７】
ウィンドウ生成部２８は、操作ボタンの形状の種類を変更する場合、拡張された部分が隣接する他の操作ボタンと重ならないように、操作ボタンの形状の種類を変更する。
【００６８】
図９は、図７（ｃ）における、操作ボタンＫ７３１、Ｋ７３２の拡張部分を含む領域を拡大した図である。図９において、操作ボタンＫ７３１における、変形前の形状をＫ７３１−２、図中上側に拡張した拡張部分をＫ７３１−１、図中下側に拡張した拡張部分をＫ７３１−３として示している。操作ボタンＫ７３２についても同様であり繰り返しの説明は省略する。
【００６９】
ウィンドウ生成部２８は、操作ボタンＫ７３１の形状の種類を変更する場合、操作ボタンＫ７３２の変更前の形状Ｋ７３２−２に重ならない範囲で下側の拡張部分Ｋ７３１−３が設けられるように操作ボタンの形状の種類を変更する。また、ウィンドウ生成部２８は、操作ボタンＫ７３２の形状の種類を変更する場合、操作ボタンＫ７３１の変更前の形状Ｋ７３１−２に重ならない範囲で上側の拡張部分Ｋ７３２−１が設けられるように操作ボタンの形状の種類を変更する。
【００７０】
また、ウィンドウ生成部２８は、操作ボタンＫ７３１の下側の拡張部分Ｋ７３１−３と、操作ボタンＫ７３２の上側の拡張部分Ｋ７３２−１とが重ならないように、操作ボタンの形状の種類を変更する。言い換えると、ウィンドウ生成部２８は、上下に隣接する操作ボタンの形状の種類を変形するとき、お互いの拡張部分の水平方向の位置がずれるように操作ボタンの形状の種類を変更する。
【００７１】
図７（ｃ）においては、縦に並んだ４つの操作ボタン（Ｋ７３１〜７３４）の形状の種類が変更されているが、それぞれの操作ボタンの拡張部分が隣接する操作ボタンの変更前の形状及び拡張部分に重ならないように操作ボタンの形状が変更されている。
【００７２】
図５は、ＭＦＰ３が備える機能の機能ブロック図を示す。ＭＦＰ３は、制御部８が記憶部９に記憶されたプログラムを実行することで、図２のハードウェアブロック図に示す各構成を制御することにより、図５に示す機能を実現する。
【００７３】
リモート接続部３２は、携帯端末２との間でリモート接続を確立する。具体的には、リモート接続部３２は、携帯端末２から接続要求を受信すると、自機がリモート接続可能な状態であるときには、その旨を携帯端末２に返信する。そして、携帯端末２においてリモート接続の対象装置として選択されたことを受けて、携帯端末２との間でリモート接続を確立する。
【００７４】
操作ウィンドウ情報取得部３３は、記憶部９が記憶する、ＭＦＰ３がとりうる状態に対応する操作ウィンドウ情報の中から、そのときのＭＦＰ３の状態に対応する操作ウィンドウ（第１の操作ウィンドウ）に関する操作ウィンドウ情報を取得する。
【００７５】
操作ウィンドウ情報は、例えば、第１の操作ウィンドウのサイズ（水平方向画素数、垂直方向画素数）や、第１の操作ウィンドウに含まれる操作ボタンに関する情報を含む。操作ボタンに関する情報は、操作ボタンの大きさ、操作ウィンドウにおける操作ボタンの位置（座標）、操作ボタンの形状、操作ボタンに対応して表示される文字に関する情報を含む。
【００７６】
操作ウィンドウ情報送信部３４は、ＭＦＰ３の状態に対応する第１の操作ウィンドウに関する操作ウィンドウ情報を、リモート接続を確立した携帯端末２に送信する。
【００７７】
操作情報取得部３５は、リモート接続を確立した携帯端末２から送信される操作情報を取得（受信）する。
【００７８】
図１０〜１２は、表示システム１における第２の操作ウィンドウを表示する機能に関する処理を説明するフローチャートである。図１０、１１は携帯端末２が実行するフローチャートであり、携帯端末２は、制御部１９（ＣＰＵ）が記憶部２０に記憶されたプログラムを実行することにより図１０、１１に記載された処理を実現する。図１２は、ＭＦＰ３が実行するフローチャートであり、ＭＦＰ３は、制御部８（ＣＰＵ）が記憶部９に記憶されたプログラムを実行することにより図１２に記載された処理を実現する。
【００７９】
図１０を参照して、第２の操作ウィンドウを表示する機能に関して、携帯端末２が実行する処理を説明する。
【００８０】
携帯端末２は、表示システム１に含まれる複数のＭＦＰ３のうちの一のＭＦＰ３との間でリモート接続を確立するまで待機し（ステップＳ１０１でＮＯ）、一のＭＦＰとリモート接続を確立すると（ステップＳ１０１でＹＥＳ）、ステップＳ１０２の処理に進む。
【００８１】
携帯端末２は、リモート接続を確立したＭＦＰ３から第１の操作ウィンドウに関する操作ウィンドウ情報を取得するまで待機し（ステップＳ１０２でＮＯ）、操作ウィンドウ情報を取得すると（ステップＳ１０２でＹＥＳ）、ステップＳ１０３の処理に進む。
【００８２】
携帯端末２は、取得した操作ウィンドウ情報に基づいて、第２の操作ウィンドウを生成する（ステップＳ１０３）。
【００８３】
図１１は、ステップＳ１０３における第２の操作ウィンドウを生成する処理を示すサブルーチンである。
【００８４】
携帯端末２は、ステップＳ１０２で取得した操作ウィンドウ情報に含まれる第１の操作ウィンドウのサイズと、操作表示部２３における表示領域のサイズとに基づいて、変倍率を計算する（ステップＳ２０１）。
【００８５】
計算した変倍率が所定値未満ではないとき、つまり、所定値以上であるとき（ステップＳ２０２でＮＯ）、携帯端末２は、第１の操作ウィンドウを計算した変倍率で変倍して第２の操作ウィンドウを生成し（ステップＳ２０７）、図１１のサブルーチンの処理を終了する（ＥＮＤ）。言い換えると、計算した変倍率が所定値未満ではないときには、携帯端末２は、操作ボタンの形状の種類を変更せずに、図１１のサブルーチンの処理を終了する。
【００８６】
一方、計算した変倍率が所定値未満であるとき（ステップ２０２でＹＥＳ）、ステップＳ２０３に進み、携帯端末２は、第１の操作ウィンドウを計算した変倍率で変倍する。そして、第１の操作ウィンドウに含まれる操作ボタンが所定の条件を満たすかどうかを判断する（ステップＳ２０４）。具体的には、携帯端末２は、操作ボタンが細長い形状のボタンであるかどうかを判断する。
【００８７】
操作ボタンが所定の条件を満たすとき（ステップＳ２０４でＹＥＳ）、携帯端末２は、その操作ボタンの形状の種類を変更する（ステップＳ２０５）。具体的には、携帯端末２は、図８（ｃ）〜（ｅ）に示すように、操作ボタンの一部が外側に拡張された形状となる
ように、操作ボタンの形状の種類を変更する。一方、操作ボタンが所定の条件を満たさないときには（ステップＳ２０４でＮＯ）、その操作ボタンについて形状の種類を変更せずにステップＳ２０６の処理に進む。
【００８８】
ステップＳ２０６において、携帯端末２は、第１の操作ウィンドウに含まれる全ての操作ボタンについての処理が終了したかどうかを判断し、全ての操作ボタンについての処理が終了していないときには（ステップＳ２０６でＮＯ）、ステップＳ２０４に戻り、全ての操作ボタンについての処理が終了するまで（ステップＳ２０６でＹＥＳ）、ステップＳ２０４〜ステップＳ２０６の処理を繰り返し実行する。
【００８９】
全ての操作ボタンについての処理が終了すると（ステップＳ２０６でＹＥＳ）、携帯端末２は、図１１のサブルーチンの処理を終了し、図１０のフローチャートに戻る（ＲＥＴＵＲＮ）。
【００９０】
図１０のフローチャートに戻り、ステップＳ１０４において、携帯端末２は、生成した第２の操作ウィンドウを操作表示部２３の表示領域に表示し、ユーザーからの操作を受け付けるまで待機する（ステップＳ１０５でＮＯ）。ユーザーからの操作を受け付けると（ステップＳ１０５でＹＥＳ）、ユーザーから受け付けた操作がＭＦＰ３とのリモート接続を解除する操作であるかを判断し（ステップＳ１０６）、リモート接続を解除する操作であるとき（ステップＳ１０６でＹＥＳ）、ＭＦＰ３との間でリモート接続を解除するための通信を行い、図１０のフローチャートの処理を終了する（ＥＮＤ）。
【００９１】
一方、ユーザーから受け付けた操作がＭＦＰ３とのリモート接続を解除する操作でなかったとき（ステップＳ１０６でＮＯ）、携帯端末２は、受け付けた操作に対応する操作情報をＭＦＰ３に送信し（ステップＳ１０７）、ステップＳ１０２に戻る。ステップＳ１０２では、携帯端末２は、ステップＳ１０７で送信した操作情報に基づく新たな第１の操作ウィンドウに関する操作ウィンドウ情報を取得するまで待機し（ステップＳ１０２でＮＯ）、操作ウィンドウ情報を取得すると（ステップＳ１０２でＹＥＳ）、前述の処理と同様に、ステップＳ１０３以下の処理を実行する。
【００９２】
携帯端末２は、リモート接続を解除する操作を受け付けるまで（ステップＳ１０６でＹＥＳ）、ステップＳ１０２〜Ｓ１０７の処理を繰り返し実行する。
【００９３】
図１２を参照して、表示システム１が第２の操作ウィンドウを表示する機能に関して、ＭＦＰ３が実行する処理を説明する。
【００９４】
ＭＦＰ３は、携帯端末２とリモート接続を確立するまで待機し（ステップＳ３０１でＮＯ）、携帯端末２とリモート接続を確立すると（ステップＳ３０１でＹＥＳ）、ステップＳ３０２の処理に進む。
【００９５】
ＭＦＰ３は、現在の自機の状態に対応した第１の操作ウィンドウに関する操作ウィンドウ情報を記憶部９から取得し（ステップＳ３０２）、取得した第１の操作ウィンドウに関する操作ウィンドウ情報を携帯端末２に送信する（ステップＳ３０３）。
【００９６】
ＭＦＰ３は、携帯端末２から操作情報を取得するまで待機し（ステップＳ３０４でＮＯ）、携帯端末２から操作情報を取得すると（ステップＳ３０４でＹＥＳ）、取得した操作情報が、携帯端末２とのリモート接続を解除する操作に関するものであるかを判断し（ステップＳ３０５）、取得した操作情報がリモート接続を解除する操作に関するものであるとき（ステップＳ３０５でＹＥＳ）、携帯端末２との間でリモート接続を解除するための通信を行い、図１２のフローチャートの処理を終了する（ＥＮＤ）。
【００９７】
一方、受信した操作情報がリモート接続を解除する操作に関するものでないとき（ステップＳ３０５でＮＯ）、ステップＳ３０２に戻り、受信した操作情報に基づいて新たな第１の操作ウィンドウに関する操作ウィンドウ情報を取得し（ステップＳ３０２）、取得した操作ウィンドウ情報を携帯端末２に送信して（ステップＳ３０３）、前述の処理と同様に、ステップＳ３０４以下の処理を実行する。
【００９８】
ＭＦＰ３は、リモート接続を解除する操作に関する操作情報を受け付けるまで（ステップＳ３０５でＹＥＳ）、ステップＳ３０２〜Ｓ３０５の処理を繰り返し実行する。
【００９９】
本発明の実施形態に係る表示システム１において、情報処理装置としての携帯端末２が備えるプロセッサー（制御部８）が、ＭＦＰ３の操作表示部１４に表示するための第１の操作ウィンドウに対応する第２の操作ウィンドウを携帯端末２の操作表示部２３に表示させる場合に、第２の操作ウィンドウを表示させるための携帯端末２の操作表示部２３における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するかを切り替える。
【０１００】
ＭＦＰ３から取得した第１の操作ウィンドウに関する操作ウィンドウ情報と自機の表示領域のサイズに基づいて、携帯端末２に表示する第２の操作ウィンドウを生成するとき、第１の操作ウィンドウに対する第２の操作ウィンドウの変倍率が所定の値よりも小さい場合に、常時、第１の操作ウィンドウに含まれる全ての操作ボタンについて形状の種類を変更するのではなく、第１の操作ウィンドウに含まれる操作ボタンのうち、所定の条件を満たす操作ボタンについて形状の種類を変更するので、所定の条件を満たす操作ボタンが変倍されて表示されることによるユーザーの操作ボタンの押し間違えの発生や、操作ボタンの押下のしづらい状況の発生を抑制することができ、ユーザーからの所定の操作を受け付けることなく、ユーザーにとって押下しやすい操作ボタンを表示することができる。
【０１０１】
また、本発明の実施形態に係る表示システム１は、携帯端末２が、上下に隣接する操作ボタンの形状の種類を変形するとき、お互いの拡張部分の水平方向の位置がずれるように操作ボタンの形状の種類を変更するので、上下に隣接する操作ボタンの拡張部分が重ならず、操作ボタンの形状が隣接する操作ボタンの形状に影響を少なくすることができる。
【０１０２】
なお、第１の操作ウィンドウの表示領域の水平方向のサイズと第２の操作ウィンドウとの水平方向のサイズとの比が、第１の操作ウィンドウの表示領域の垂直方向のサイズと第２の操作ウィンドウとの垂直方向のサイズとの比と異なる場合があるので、第１の操作ウィンドウに対する第２の操作ウィンドウの変倍率を、水平方向の変倍率と垂直方向の変倍率を独立の値としても良い。
【０１０３】
なお、拡張部分の形状については、第１の操作ウィンドウを変倍処理した後のウィンドウにおける操作ボタンの形状に基づいて判断しても良い。
【０１０４】
なお、表示領域は、ＭＦＰ３の操作表示部１４のディスプレイ１５や携帯端末２の操作表示部２３のディスプレイ２４のサイズに基づいて、一意的に決定されるような形態に限定されない。例えば、携帯端末２のディスプレイ２４全面に操作ウィンドウが表示される場合は、ディスプレイ２４のサイズに対応するように表示領域を決定し、ディスプレイ２４の半分のサイズで操作ウィンドウが表示される場合は、ディスプレイ２４の半分のサイズに対応するように表示領域を決定する。これは、ディスプレイ２４の半分のサイズで操
作ウィンドウが表示される場合に、操作ウィンドウに含まれる操作ボタンが、ユーザーにとって押下のしづらい状態になることがあるので、実際に表示される操作ウィンドウに応じて表示領域を決定しても良い。
【０１０５】
また、本発明の実施形態に係る携帯端末２は、図１、図２に示すハードウェアを備えるＭＦＰ３でも良く、つまり、あるＭＦＰ３Ａ（実施形態１の携帯端末２に対応）と他のＭＦＰ３Ｂ（実施形態１のＭＦＰ３に対応）とがネットワーク４で接続されている表示システム１において、あるＭＦＰ３Ａの操作表示部１４（操作表示部１４Ａ）のサイズが、他のＭＦＰ３Ｂの操作表示部１４（操作表示部１４Ｂ）のサイズよりも小さく、あるＭＦＰ３Ａが、他のＭＦＰ３Ｂが操作表示部１４Ｂに表示する第１の操作ウィンドウに対応する第２の操作ウィンドウを操作表示部１４Ａに表示させる形態にも本発明の実施形態は適用可能である。
【０１０６】
（変形例１）
前述の実施形態においては、携帯端末２が、ＭＦＰ３から取得した第１の操作ウィンドウに関する操作ウィンドウ情報と自機の表示領域のサイズに基づいて、携帯端末２に表示する第２の操作ウィンドウを生成するものとしたが、本変形例１では、ＭＦＰ３が、自機が記憶する第１の操作ウィンドウに関する操作ウィンドウ情報と携帯端末２から取得した表示領域に関する情報に基づいて、携帯端末２に表示する第２の操作ウィンドウを生成し、生成した第２の操作ウィンドウに関する操作ウィンドウ情報を携帯端末２に送信する。
【０１０７】
表示システム１の構成、及び携帯端末２とＭＦＰ３のハードウェア構成は図１〜３と同様であるため、繰り返しの説明は省略する。
【０１０８】
図１３は、携帯端末２が備える機能の機能ブロック図を示す。携帯端末２は、制御部１９が記憶部２０に記憶されたプログラムを実行することで、図３のハードウェアブロック図に示す各構成を制御することにより、図１３に示す機能を実現する。
【０１０９】
前述の実施形態における携帯端末２の機能ブロック図（図４）と比較すると、ウィンドウ生成部２８がなくなり、表示領域情報送信部３６が追加された構成となっている。以下に、前述の実施形態との違いについて主に説明する。
【０１１０】
前述の実施形態における操作ウィンドウ情報取得部２７は、ＭＦＰ３から第１の操作ウィンドウに関する操作ウィンドウ情報を取得（受信）したが、本変形例１における操作ウィンドウ情報取得部２７は、ＭＦＰ３から第２の操作ウィンドウに関する操作ウィンドウ情報を取得する。
【０１１１】
前述の実施形態におけるウィンドウ表示部２９は、携帯端末２が備えるウィンドウ生成部２８により生成された第２の操作ウィンドウを表示したが、本変形例１におけるウィンドウ表示部２９は、操作ウィンドウ情報取得部２７が取得した第２の操作ウィンドウに関する操作ウィンドウ情報に基づいて、第２の操作ウィンドウを表示する。
【０１１２】
表示領域情報送信部３６は、携帯端末２の操作表示部２３における表示領域に関する情報（表示領域情報）をＭＦＰ３に送信する。表示領域情報には、操作表示部２３における表示領域のサイズ（水平方向画素数、垂直方向画素数）に関する情報を含む。
【０１１３】
リモート接続部２６、操作受付部３０、操作情報送信部３１の機能は、前述の実施形態と同様であり、繰り返しの説明は省略する。
【０１１４】
図１４は、ＭＦＰ３が備える機能の機能ブロック図を示す。ＭＦＰ３は、制御部８が記
憶部９に記憶されたプログラムを実行することで、図２のハードウェアブロック図に示す各構成を制御することにより、図１４に示す機能を実現する。
【０１１５】
前述の実施形態におけるＭＦＰ３の機能ブロック図（図５）と比較すると、ウィンドウ生成部２８と、表示領域情報取得部３７が追加された構成となっている。以下に、前述の実施形態との違いについて主に説明する。
【０１１６】
表示領域情報取得部３７は、携帯端末２から表示領域情報を取得する。前述のように、表示領域情報は、携帯端末２の操作表示部２３における表示領域のサイズ（水平方向画素数、垂直方向画素数）に関する情報を含む。
【０１１７】
ウィンドウ生成部２８は、そのときのＭＦＰ３の状態に対応する第１の操作ウィンドウに関する操作ウィンドウ情報と、携帯端末２の操作表示部２３における表示領域のサイズに基づいて、第２の操作ウィンドウを生成する。第１の操作ウィンドウに関する操作ウィンドウ情報は、ＭＦＰ３がとりうる状態に対応づけて予め記憶部９に記憶されている。第１の操作ウィンドウに関する操作ウィンドウ情報と表示領域のサイズに基づいて、第２の操作ウィンドウを生成する処理の内容は前述の実施形態と同様であるため繰り返しの説明は省略する。
【０１１８】
操作ウィンドウ情報送信部３４は、ウィンドウ生成部２８が生成した第２の操作ウィンドウに関する操作ウィンドウ情報を、リモート接続を確立した携帯端末２に送信する。
【０１１９】
リモート接続部３２、操作ウィンドウ情報取得部３３、操作情報取得部３５の機能は、前述の実施形態と同様であり、繰り返しの説明は省略する。
【０１２０】
図１５、図１６は、表示システム１におけるＭＦＰ３が、生成した第２の操作ウィンドウに関する操作ウィンドウ情報を携帯端末２に送信する機能に関する処理を示すフローチャートである。図１５は、携帯端末２が実行するフローチャートであり、携帯端末２は、制御部１９（ＣＰＵ）が記憶部２０に記憶されたプログラムを実行することにより図１５に記載された処理を実現する。図１６は、ＭＦＰ３が実行するフローチャートであり、ＭＦＰ３は、制御部８（ＣＰＵ）が記憶部９に記憶されたプログラムを実行することにより図１６に記載された処理を実現する。
【０１２１】
図１５において、前述の実施形態におけるフローチャート（図１０）と比較すると、操作ウィンドウ情報取得の処理（図１０におけるステップＳ１０２）の前に、表示領域情報送信の処理（図１５におけるステップＳ４０２）が追加され、ウィンドウ生成の処理（図１０におけるステップＳ１０３）がなくなっている。以下に、前述の実施形態との違いについて主に説明する。
【０１２２】
前述の実施形態において、携帯端末２は、リモート接続を確立したＭＦＰ３から第１の操作ウィンドウに関する操作ウィンドウ情報を取得するまで待機し（ステップＳ１０２でＮＯ）、操作ウィンドウ情報を取得すると（ステップＳ１０２でＹＥＳ）、ステップＳ１０３に進んだが、本変形例１において、携帯端末２は、リモート接続を確立したＭＦＰ３に、携帯端末２の操作表示部２３における表示領域情報を送信し（ステップＳ４０２）、第２の操作ウィンドウに関する操作ウィンドウ情報を取得するまで待機し（ステップＳ４０３でＮＯ）、操作ウィンドウ情報を取得すると（ステップＳ４０３でＹＥＳ）、ステップＳ４０４の処理に進む。
【０１２３】
また、前述の実施形態において、携帯端末２は、生成した第２の操作ウィンドウを操作表示部２３の表示領域に表示し、ユーザーからの操作を受け付けるまで待機した（ステッ
プＳ１０５でＮＯ）が、本変形例１において、携帯端末２は、取得した第２の操作ウィンドウに関する操作ウィンドウ情報に基づいて、第２の操作ウィンドウを操作表示部２３の表示領域に表示し（ステップＳ４０４）、ユーザーからの操作を受け付けるまで待機する（ステップＳ４０５でＮＯ）。
【０１２４】
図１６において、前述の実施形態におけるフローチャート（図１２）と比較すると、操作ウィンドウ情報取得の処理（図１２におけるステップＳ３０２）の前に、表示領域情報取得の処理（図１６におけるステップステップＳ５０２）が追加され、また、操作ウィンドウ情報送信の処理（図１２におけるステップＳ３０３）の前に、ウィンドウ生成の処理（図１６におけるステップステップＳ５０４）が追加されている。以下に、前述の実施形態との違いについて主に説明する。
【０１２５】
前述の実施形態において、ＭＦＰ３は、現在の自機の状態に対応した第１の操作ウィンドウに関する操作ウィンドウ情報を記憶部９から取得し（ステップＳ３０２）、取得した第１の操作ウィンドウに関する操作ウィンドウ情報を携帯端末２に送信した（ステップＳ３０３）が、本変形例１において、ＭＦＰ３は、リモート接続が確立した携帯端末２から表示領域情報を取得し（ステップＳ５０２）、現在の自機の状態に対応した第１の操作ウィンドウに関する操作ウィンドウ情報を記憶部９から取得し（ステップＳ５０３）、ステップＳ５０３で取得した第１の操作ウィンドウに関する操作ウィンドウ情報と、ステップＳ５０２で取得した携帯端末２の操作表示部２３における表示領域のサイズに基づいて、第２の操作ウィンドウを生成し（ステップＳ５０４）、生成した第２の操作ウィンドウに関する操作ウィンドウ情報を、リモート接続を確立した携帯端末２に送信する（ステップＳ５０５）。
【０１２６】
ＭＦＰ３が第２の操作ウィンドウを生成する処理を示すサブルーチンについては、図１１とほぼ同じであり、動作の主体が携帯端末２からＭＦＰ３に代わっただけであり、繰り返しの説明は省略する。
【０１２７】
本変形例１に係る表示システム１において、情報処理装置としてのＭＦＰ３が備えるプロセッサー（制御部１９）が、ＭＦＰ３の操作表示部１４に表示するための、操作ボタンを含む第１の操作ウィンドウに対応する第２の操作ウィンドウを携帯端末２の操作表示部２３に表示させる場合に、第２の操作ウィンドウを表示させるための携帯端末２の操作表示部２３における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するかを切り替える。
【０１２８】
本変形例１に係る表示システム１は、ＭＦＰ３が、自機が記憶する第１の操作ウィンドウに関する操作ウィンドウ情報と携帯端末２から取得した表示領域情報に基づいて、携帯端末２に表示する第２の操作ウィンドウを生成し、生成した第２の操作ウィンドウに関する操作ウィンドウ情報を携帯端末２に送信し、携帯端末２が、取得した第２の操作ウィンドウに関する操作ウィンドウ情報に基づいて、第２の操作ウィンドウを操作表示部２３の表示領域に表示する。そして、ＭＦＰ３が、第２の操作ウィンドウを生成するとき、第１の操作ウィンドウに対する第２の操作ウィンドウの変倍率が所定の値よりも小さい場合に、常時、第１の操作ウィンドウに含まれる全ての操作ボタンについて形状の種類を変更するのではなく、第１の操作ウィンドウに含まれる操作ボタンのうち、所定の条件を満たす操作ボタンについて形状の種類を変更し、それを携帯端末２の第２の操作ウィンドウを操作表示部２３の表示領域に表示するので、所定の条件を満たす操作ボタンが変倍されて表示されることによるユーザーの操作ボタンの押し間違えの発生や、操作ボタンの押下のし
づらい状況の発生を抑制することができる。
【０１２９】
さらに、ＭＦＰ３が第２の操作ウィンドウを生成し、携帯端末２は、ＭＦＰ３が生成した第２の操作ウィンドウを表示するだけなので、例えば、ＭＦＰ３よりもＣＰＵの処理の性能が低いＣＰＵを持つ携帯端末２を使用としたとしても、携帯端末２の処理速度の低下を抑制することができるので、携帯端末２の性能に限定されずに使用することができる。
【０１３０】
本変形例１に係る表示システム１は、ＭＦＰ２が、上下に隣接する操作ボタンの形状の種類を変形するとき、お互いの拡張部分の水平方向の位置がずれるように操作ボタンの形状の種類を変更するので、携帯端末２の操作表示部２３の表示領域に表示される操作ボタンが、上下に隣接する操作ボタンの拡張部分が重ならず、操作ボタンの形状が隣接する操作ボタンの形状に影響を与えることがない。
【０１３１】
また、本変形例１に係る携帯端末２は、図１、図２に示すハードウェアを備えるＭＦＰ３でも良く、つまり、あるＭＦＰ３Ａ（本変形例１のＭＦＰ３に対応）と他のＭＦＰ３Ｂ（本変形例１の携帯端末２に対応）とがネットワーク４で接続されている表示システム１において、他のＭＦＰ３Ｂの操作表示部１４（操作表示部１４Ｂ）のサイズが、あるＭＦＰ３Ａの操作表示部１４（操作表示部１４Ａ）のサイズよりも小さく、他のＭＦＰ３Ｂが、あるＭＦＰ３Ａが操作表示部１４Ａに表示する第１の操作ウィンドウに対応する第２の操作ウィンドウを操作表示部１４Ｂに表示させる形態にも変形例１は適用可能である。
【０１３２】
（変形例２）
前述の実施形態においては、携帯端末２が、ＭＦＰ３から取得した第１の操作ウィンドウに関する操作ウィンドウ情報と自機の表示領域のサイズとに基づいて、第２の操作ウィンドウを生成するものとしたが、本変形例２では、携帯端末２が、自機が記憶する第１の操作ウィンドウに関する操作ウィンドウ情報と自機の表示領域のサイズとに基づいて第２の操作ウィンドウを生成する。
【０１３３】
表示システム１の構成、及び携帯端末２とＭＦＰ３のハードウェア構成は図１〜３と同様であるため、繰り返しの説明は省略する。なお、本変形例２の携帯端末２においては、記憶部２０に、ＭＦＰ３がとりうる状態に対応づけて第１の操作ウィンドウに関する操作ウィンドウ情報が予め記憶されている。
【０１３４】
図１７は、携帯端末２が備える機能の機能ブロック図を示す。携帯端末２は、制御部１９が記憶部２０に記憶されたプログラムを実行することで、図３のハードウェアブロック図に示す各構成を制御することにより、図１７に示す機能を実現する。
【０１３５】
前述の実施形態における携帯端末２の機能ブロック図（図４）と比較すると、ＭＦＰ状態情報取得部３８が追加された構成となっている。以下に、前述の実施形態との違いについて主に説明する。
【０１３６】
ＭＦＰ状態情報取得部３８は、そのときのＭＦＰ３の状態を示す情報（ＭＦＰ状態情報）を、ＭＦＰ３から取得する。
【０１３７】
操作ウィンドウ情報取得部２７は、ＭＦＰ状態情報取得部３８が取得したＭＦＰ状態情報に基づいて、記憶部２０に予め記憶された第１の操作ウィンドウに関する操作ウィンドウ情報の中から、そのときのＭＦＰの状態に対応する第１の操作ウィンドウ情報を取得する。
【０１３８】
ウィンドウ生成部２８は、記憶部２０から取得した、そのときのＭＦＰ３の状態に対応
する第１の操作ウィンドウ情報と、自機の表示領域のサイズとに基づいて、第２の操作ウィンドウを生成する。
【０１３９】
リモート接続部２６、ウィンドウ表示部２９、操作受付部３０、操作情報送信部３１の機能は、前述の実施形態と同様であり、繰り返しの説明は省略する。
【０１４０】
図１８は、ＭＦＰ３が備える機能の機能ブロック図を示す。ＭＦＰ３は、制御部８が記憶部９に記憶されたプログラムを実行することで、図２のハードウェアブロック図に示す各構成を制御することにより、図１８に示す機能を実現する。
【０１４１】
前述の実施形態におけるＭＦＰ３の機能ブロック図（図５）と比較すると、操作ウィンドウ情報取得部３３と操操作ウィンドウ情報送信部３４がなくなり、ＭＦＰ状態情報送信部３９が追加された構成となっている。ＭＦＰ状態情報送信部３９は、リモート接続を確立した携帯端末２に対し、そのときのＭＦＰ３の状態を示すＭＦＰ状態情報を送信する。リモート接続部３２と操作情報取得部３５の機能は、前述の実施形態と同様であり、繰り返しの説明は省略する。
【０１４２】
図１９、図２０は、表示システム１における携帯端末２が、自機が記憶する第１の操作ウィンドウに関する操作ウィンドウ情報と自機の表示領域のサイズとに基づいて第２の操作ウィンドウを生成する機能に関する処理を示すフローチャートである。図１９は、携帯端末２が実行するフローチャートであり、携帯端末２は、制御部１９（ＣＰＵ）が記憶部２０に記憶されたプログラムを実行することにより図１９に記載された処理を実現する。図２０は、ＭＦＰ３が実行するフローチャートであり、ＭＦＰ３は、制御部８（ＣＰＵ）が記憶部９に記憶されたプログラムを実行することにより図２０に記載された処理を実現する。
【０１４３】
図１９において、前述の実施形態におけるフローチャート（図１０）と比較すると、操作ウィンドウ情報取得の処理（図１０におけるステップＳ１０２）の前に、ＭＦＰ状態情報取得の判断の処理（図１９におけるステップＳ６０２）が追加され、また当該操作ウィンドウ情報取得の処理（図１０におけるステップＳ１０２）が判断の処理ではなくなったことである。以下に、前述の実施形態との違いについて主に説明する。
【０１４４】
前述の実施形態において、携帯端末２は、リモート接続を確立したＭＦＰ３から第１の操作ウィンドウに関する操作ウィンドウ情報を取得するまで待機し（ステップＳ１０２でＮＯ）、操作ウィンドウ情報を取得すると（ステップＳ１０２でＹＥＳ）、ステップＳ１０３に進んだが、本変形例２において、リモート接続を確立したＭＦＰ３から、そのときのＭＦＰ３の状態を示す情報を取得するまで待機し（ステップＳ６０２でＮＯ）、ＭＦＰ状態情報を取得すると（ステップＳ６０２でＹＥＳ）、は、取得したＭＦＰ状態情報に基づいて、記憶部２０に予め記憶された第１の操作ウィンドウに関する操作ウィンドウ情報の中から、そのときのＭＦＰの状態に対応する第１の操作ウィンドウ情報を取得すると（ステップＳ６０３）、ステップＳ６０４の処理に進む。
【０１４５】
図２０において、前述の実施形態におけるフローチャート（図１２）と比較すると、リモート接続処理（図１２におけるステップＳ３０１）の後に、ＭＦＰ状態情報送信の処理（図２０におけるステップＳ７０２）が追加され、また図１２における操作ウィンドウ情報取得の処理（ステップＳ３０２）と、操作ウィンドウ情報送信の処理（ステップＳ３０３）とがなくなっている。以下に、前述の実施形態との違いについて主に説明する。
【０１４６】
前述の実施形態において、ＭＦＰ３は、現在の自機の状態に対応した第１の操作ウィンドウに関する操作ウィンドウ情報を記憶部９から取得し（ステップＳ３０２）、取得した
第１の操作ウィンドウに関する操作ウィンドウ情報を携帯端末２に送信した（ステップＳ３０３）が、本変形例２において、ＭＦＰ３は、リモート接続を確立した携帯端末２に対し、そのときのＭＦＰ３の状態を示すＭＦＰ状態情報を送信する（ステップＳ７０２）。
【０１４７】
本変形例２に係る表示システム１において、情報処理装置としての携帯端末２が備えるプロセッサー（制御部８）が、携帯端末２の操作表示部２３に表示されるための、操作ボタンを含む第１の操作ウィンドウに対応する第２の操作ウィンドウを携帯端末２の操作表示部２３に表示させる場合に、第２の操作ウィンドウを表示させるための携帯端末２の操作表示部２３における表示領域のサイズに応じて、第１の操作ウィンドウに含まれる操作ボタンのうちの所定の操作ボタンについての形状の種類が変更された操作ウィンドウを、第２の操作ウィンドウとして生成するか、第１の操作ウィンドウに含まれる操作ボタンのうちの所定の操作ボタンについて、形状の種類が変更されていない操作ウィンドウを、第２の操作ウィンドウとして生成するかを切り替える。
【０１４８】
本変形例２に係る表示システム１は、携帯端末２が、自機が記憶する第１の操作ウィンドウに関する操作ウィンドウ情報と表示領域情報に基づいて、携帯端末２に表示する第２の操作ウィンドウを生成し、第１の操作ウィンドウに対する第２の操作ウィンドウの変倍率が所定の値よりも小さい場合に、常時、第１の操作ウィンドウに含まれる全ての操作ボタンについて形状の種類を変更するのではなく、第１の操作ウィンドウに含まれる操作ボタンのうち、所定の条件を満たす操作ボタンについて形状の種類を変更し、それを操作表示部２３の表示領域に表示するので、所定の条件を満たす操作ボタンが変倍されて表示されることによるユーザーの操作ボタンの押し間違えの発生や、操作ボタンの押下のしづらい状況の発生を抑制することができる。
【０１４９】
また、本変形例２に係る携帯端末２は、図１、図２に示すハードウェアを備えるＭＦＰ３でも良く、つまり、あるＭＦＰ３Ａ（本変形例１のＭＦＰ３に対応）を備える表示システム１において、あるＭＦＰ３Ａが、あるＭＦＰ３Ａの操作表示部１４Ａに表示する第１の操作ウィンドウに対応する第２の操作ウィンドウを操作表示部１４Ａに表示させる形態にも変形例２は適用可能である。
【０１５０】
さらに、携帯端末２の記憶部２０に、予めＭＦＰ３の第１の操作ウィンドウに関する操作ウィンドウ情報を記憶しているので、リモート接続に関わらず、携帯端末２に所定の操作ウィンドウを表示するときに、予め記憶された第１の操作ウィンドウを、携帯端末２の表示領域に対応して表示させる場合にも適用できる。上記のような形態においては、表示領域が異なる携帯端末２において、同一のプログラムで操作性を向上させることができる。
【０１５１】
なお、本実施形態と本変形例１、２に係る表示システム１の携帯端末２の操作表示部２３は、操作ボタンが、ユーザーからの押下を受け付けたとき、ユーザーから押下を受け付けたことを通知するようにしても良い。例えば、押下されている操作ボタンの色を変更するや、押下されている操作ボタンを点滅する等である。
【０１５２】
なお、本実施形態と本変形例１、２に係る表示システム１の携帯端末２の操作表示部２３は、ユーザーから押下を受け付けている部分が所定の操作ボタンから他の操作ボタンへスライドしたことを受けた場合、選択される操作ボタンを所定の操作ボタンから他の操作ボタンへ変更されても良い。
【０１５３】
なお、本実施形態と本変形例１、２に係る表示システム１の携帯端末２は、第１の操作ウィンドウに対応づけて、操作ボタンの種類を変更した第３の操作ウィンドウを予め記憶しておき、変倍率に応じて第１の操作ウィンドウか第３の操作ウィンドウかをユーザーか
ら選択させる操作画面を操作表示部に表示し、ユーザーから選択された操作ウィンドウ（第１または第３の操作ウィンドウ）を変倍することで第２の操作ウィンドウを生成しても良い。
【符号の説明】
【０１５４】
１    表示システム
２    携帯端末
３    ＭＦＰ
４    ネットワーク
５    原稿読取部
６    画像処理部
７    画像形成部
８    制御部（プロセッサー）
９    記憶部（メモリー）
１０  データＩＦ部
１１  ＬＮＡＩＦ部
１２  記憶メディアＩＦ部
１３  ＦＡＸＩＦ部
１４  操作表示部
１５  ディスプレイ
１６  タッチパネル
１７  ハードキー
１８  バス
１９  制御部（プロセッサー）
２０  記憶部（メモリー）
２１  ＬＮＡＩＦ部
２２  バス
２３  操作表示部
２４  ディスプレイ
２５  タッチパネル
２６  リモート接続部
２７  操作ウィンドウ情報取得部
２８  ウィンドウ生成部
２９  ウィンドウ表示部
３０  操作受付部
３１  操作情報送信部
３２  リモート接続部
３３  操作ウィンドウ情報取得部
３４  操作ウィンドウ情報送信部
３５  操作情報取得部
３６  表示領域情報送信部
３７  表示領域情報取得部
３８  ＭＦＰ状態情報取得部
３９  ＭＦＰ状態情報送信部
【図１】
0006428110.tif 000002
【図２】
0006428110.tif 000003
【図３】
0006428110.tif 000004
【図４】
0006428110.tif 000005
【図５】
0006428110.tif 000006
【図６】
0006428110.tif 000007
【図７】
0006428110.tif 000008
【図８】
0006428110.tif 000009
【図９】
0006428110.tif 000010
【図１０】
0006428110.tif 000011
【図１１】
0006428110.tif 000012
【図１２】
0006428110.tif 000013
【図１３】
0006428110.tif 000014
【図１４】
0006428110.tif 000015
【図１５】
0006428110.tif 000016
【図１６】
0006428110.tif 000017
【図１７】
0006428110.tif 000018
【図１８】
0006428110.tif 000019
【図１９】
0006428110.tif 000020
【図２０】
0006428110.tif 000021